(57)【要約】【課題】洗面ボウルの排水孔の裏側に芯ずれなく排水器具を取り付けできる取付構造を提供する。【解決手段】洗面ボウル３の排水孔３ｃの裏側に排水器具９を取り付ける取付構造において、洗面ボウルのボウル部３ａの裏面に凹部２２，２２，２２を形成するとともに、排水器具９の止水鍔部１８には、凹部２２，２２，２２に嵌合し得る凸部１８ｃ，１８ｃ，１８ｃを形成して構成する。【選択図】図３
2010053673.tif 000002
【特許請求の範囲】
【請求項１】
洗面ボウルの排水孔の裏側に排水器具を取り付ける取付構造において、
前記洗面ボウルの裏面に凸部または凹部を形成するとともに、
前記排水器具側には、前記凸部または凹部に嵌合し得る凹部または凸部を設けた
ことを特徴とする洗面ボウルへの排水器具の取付構造。
【請求項２】
前記洗面ボウルの裏面には傾斜状の下穴が形成され、該下穴に対し前記排水器具の裏側からビスをねじ込んで前記洗面ボウルに前記排水器具を固定する構造である
ことを特徴とする請求項１に記載の洗面ボウルへの排水器具の取付構造。
【請求項３】
前記洗面ボウル側および排水器具側に形成された凸部または凹部は、前記洗面ボウルの排水孔の軸線に対し非点対称となる位置に３個所以上形成されている
ことを特徴とする請求項１または請求項２に記載の洗面ボウルへの排水器具の取付構造。
【発明の詳細な説明】
【技術分野】
【０００１】
本発明は、洗面ボウルの裏側に排水器具を取り付ける取付構造に関するものである。
【背景技術】
【０００２】
従来、この種の排水器具として、特許文献１に開示されているような構造のものが存在する。
この特許文献１に開示されている構造では、洗面ボウルの排水孔の下方から排水器具を裏面に当接させて取り付けるものとしている。
【特許文献１】特開２００２−２６６４０３号公報
【発明の開示】
【発明が解決しようとする課題】
【０００３】
上記特許文献１に開示されている構造では、洗面ボウルの排水孔に対し芯ずれなく排水器具を位置決めしにくく、芯ずれが生じると排水孔に排水弁がきっちりと嵌まらず、排水孔の止水性能が確保できなくなるという問題点があった。
【課題を解決するための手段】
【０００４】
本発明は、排水器具を芯ずれなく取り付けできる洗面ボウルへの排水器具の取付構造の提供を目的とし、この目的の少なくとも一部を達成するために以下の手段を採った。
本発明は、洗面ボウルの排水孔の裏側に排水器具を取り付ける取付構造において、前記洗面ボウルの裏面に凸部または凹部を形成するとともに、前記排水器具側には、前記凸部または凹部に嵌合し得る凹部または凸部を設けたことを要旨とする。
【発明の効果】
【０００５】
洗面ボウルの排水孔の裏側に排水器具を取り付ける際に凹部と凸部が嵌合し、これにより、排水孔の裏側に排水器具を芯ずれなく取り付けることができ、排水孔の軸芯と排水器具の軸芯がずれることなく取り付けられるため、排水孔へ排水弁がきっちりと閉まり、止水性能が確保できるものとなる。また、排水器具内に配置されるヘアキャッチャーを上方側へ抜き取る時に、ヘアキャッチャーが排水孔に引っ掛かることがない。
【０００６】
また、本発明の洗面ボウルへの排水器具の取付構造において、前記洗面ボウルの裏面には傾斜状の下穴が形成され、該下穴に対し前記排水器具の裏側からビスをねじ込んで前記洗面ボウルに前記排水器具を固定する構造とすることもできる。
こうすれば、下穴に排水器具の裏側からビスをねじ込んで、強固に洗面ボウルの裏面に排水器具を固定することができ、また、ビスをねじ込む際に、下穴に対し排水器具側の穴の位置が多少ずれていても、排水孔に対し芯ずれなく排水器具を固定することができる。
【０００７】
また、本発明の洗面ボウルへの排水器具の取付構造において、記洗面ボウル側および排水器具側に形成された凸部または凹部は、前記洗面ボウルの排水孔の軸線に対し非点対称となる位置に３個所以上形成されているものとすることもできる。
こうすれば、凹部と凸部との嵌合による嵌合個所が増し、より確実に芯ずれを防いで排水孔の裏側に排水器具を取り付けできるものとなる。
【発明を実施するための最良の形態】
【０００８】
次に、本発明を実施するための最良の形態を実施例を用いて説明する。
図１は、洗面台の斜視構成図である。
洗面台１は、前面に開閉可能な扉２ａを有するキャビネット２の上面に洗面ボウル３が載置されて構成されている。
洗面ボウル３は、底側に排水孔３ｃを有するボウル部３ａと、ボウル部３ａの背面側で略垂直に一体状に立ち上がるバックガード部３ｂで構成されている。
このバックガード部３ｂには、裏側に水栓本体を備えたハンドル４ａと、吐水口４ｂが取り付けられ、また、ハンドル４ａの側方には、操作ボタン部５が取り付けられる。
【０００９】
洗面ボウル３の排水孔３ｃの裏側から図２に示す排水器具９が取り付けられ、この排水器具９内には、排水孔３ｃ側から上下方向に引き上げ可能に図２に示すヘアキャッチャー部７が配置されるものであり、また、排水孔３ｃにはポップアップ弁６が開閉可能に配置されるものである。
この部分の部材の分解図を図２に示し、さらに図３には部材を拡大して示す。さらに図４では部材の取付状態の縦断面図を示す。
【００１０】
洗面ボウルのボウル部３ａの裏側から、排水器具９が排水孔３ｃの真下に同芯状に取付け固定されるものであり、排水器具９の下端の接続部１７ａには、袋ナット１３を介してレリース保持部材１０が連結され、さらに、このレリース保持部材１０の下端側に、袋ナット１４を介してキャビネット２内に縦方向に配管されるトラップ管１５が接続されるものである。
レリース保持部材１０には、一体状に傾斜して傾斜筒部１０ａが形成されており、この傾斜筒部１０ａ内に、前記操作ボタン５に上端を連結したレリース１１の下端側の先端部１１ａが配置されて、このレリースの先端部１１ａは、上下方向に揺動可能に設けられた揺動部材１２に連結されている。
【００１１】
なお、操作ボタン部５は、洗面ボウルのバックガード部３ｂに固定部５ａを固定して取り付けられるものであり、操作ボタン部５を図４の状態から、手で操作することにより、レリース１１の先端部１１ａを介して揺動部材１２が上方側へ揺動し、軸部６ａの下端を上方へ押し上げ、これにより、排水孔３ｃに当接されているポップアップ弁６が上方へ移動されて排水孔３ｃが開かれるように構成されている。
【００１２】
なお、ポップアップ弁６の下面中央部から垂下状に軸部６ａが一体形成されており、この軸部６ａには、ヘアキャッチャー部７とオーバーフローキャッチャー８が一体状に取り付けられている。従って、ポップアップ弁６の上昇とともにヘアキャッチャー部７およびオーバーフローキャッチャー８も同時に上方へ移動されることとなり、ポップアップ弁６を摘んで上方へ引き上げることにより、ヘアキャッチャー部７およびオーバーフローキャッチャー８をボウル部３ａの上方へ取り出すことができるものである。
【００１３】
前記排水器具９は、縦方向に延びる円筒状の本体筒部１６の下端側が縮径された縮径部１７となっており、この縮径部１７の下端側に接続部１７ａが形成され、この接続部１７ａの外周の雄ネジに袋ナット１３を締め付けて、前記レリース保持部材１０を取り付けできるものである。
また、排水器具９の本体筒部１６の上端には、略水平方向に外側へ一体状に延びる止水鍔部１８が形成されている。
また、この止水鍔部１８の下方に、本体筒部１６から横方向に一体状に突出したオーバーフローホース接続部１９が形成されている。このオーバーフローホース接続部１９には、袋ナット２０を介してオーバーフローホース２１を接続することができ、オーバーフローホース２１を通りボウル部３ａ内のオーバーフロー水が排水器具９内に流入されるように構成されている。
【００１４】
排水器具９の本体筒部１６の内周面１６ａの内径寸法は、例えば直径６３ｍｍに設定されており、洗面ボウル３の排水孔３ｃの孔径６１ｍｍよりも大径に設定されている。この内周面１６ａには周方向に間隔をおいて３個〜６個のリブ１６ｂ，１６ｂ，１６ｂが内側へ１ｍｍ程度突出して、それぞれ縦方向に形成されている。
【００１５】
また、止水鍔部１８には、リング状に凹ませてＯリング溝１８ａが形成されており、このＯリング溝１８ａ内にはＯリングＯを嵌め込むことができる。このＯリング溝１８ａの外側の止水鍔部１８に、周方向に間隔をおいて複数のビス挿通孔１８ｂ，１８ｂ，１８ｂがそれぞれ上下に貫通形成されている。また、止水鍔部１８のＯリング溝１８ａの外側には、上方へ突出する凸部１８ｃ，１８ｃ，１８ｃが形成されており、この凸部１８ｃ，１８ｃ，１８ｃは、排水孔３ｃの軸線および本体筒部１６の軸線に対し非点対称となる位置に３個以上形成され、本例では、図示上方側に１個の凸部１８ｃが形成され、図示下方側に２個の凸部１８ｃ，１８ｃが形成されている。
【００１６】
なお、この３個の凸部１８ｃ,１８ｃ，１８ｃと整合するボウル部３ａの裏面位置には、３個の凹部２２，２２，２２が排水孔３ｃの外周に形成されている。
また、ボウル部３ａの排水孔３ｃの外周には、前記排水器具９の各ビス挿通孔１８ｂと整合する位置に複数の下穴２３，２３，２３が予め形成されている。このボウル部３ａの裏側に形成される下穴２３，２３，２３は、ボウル部３ａの成形時に形成されるため、ボウル部３ａ成形の際の脱型の角度に合わせ、各下穴２３は同方向に傾斜状に形成されている。
なお、この下穴２３は、直径４ｍｍのビス２４をネジを切りながら締め付けることができる径に設定されている。また、前記排水器具９側のビス挿通孔１８ｂは、ビス２４が遊挿できる内径略６ｍｍに設定されている。
【００１７】
排水器具９をボウル部３ａの裏側に取り付ける際には、ＯリングＯをＯリング溝１８ａ内に嵌め込んだ状態で止水鍔部１８をボウル部３ａの裏面に当接させ、排水孔３ｃの裏側に本体筒部１６を整合させ、各下穴２３にビス挿通孔１８ｂを整合させて、各ビス挿通孔１８ｂの下方からそれぞれビス２４を下穴２３に締め付けてゆく。即ち、ビス２４で下穴２３にネジを切りながら締め付けてゆき、止水鍔部１８をボウル部３ａの裏側に水密状に固定することができる。
【００１８】
なお、下穴２３はボウル部３ａ成形の際の脱型の角度に合わせ傾斜状を成しているため、ビス２４を締め付けてゆく時に水平方向の分力が作用して、排水孔３ｃと本体筒部１６の軸芯がずれて、芯ずれが生じやすく、また、下穴２３とビス挿通孔１８ｂの位置にずれが生じている場合にも芯ずれが生じやすくなるが、本例では、排水器具９側に突出されている凸部１８ｃ，１８ｃ，１８ｃがボウル部３ａの裏側に形成されている凹部２２，２２，２２にそれぞれ嵌まり込むことで、ビス２４の締め付け固定時の芯ずれを防止できるように構成されている。
従って、凸部１８ｃと凹部２２の嵌合により芯ずれが防がれて、排水孔３ｃの真下に同軸状に排水器具９の本体筒部１６を固定することができ、上方から本体筒部１６内にヘアキャッチャー部７とオーバーフローキャッチャー８を差し込んだ際に、一体化されているポップアップ弁６がきっちりと排水孔３ｃに嵌まり込むこととなる。
【００１９】
なお、この時、ヘアキャッチャー部７の外周は、本体筒部１６の内周面１６ａに形成されているリブ１６ｂ，１６ｂ，１６ｂにほぼ当接状態となり、ヘアキャッチャー部７の本体筒部１６内でのガタツキがなくなる。また、オーバーフローキャッチャー８は縮径部１７の内周にほぼ接触状に配置されるものである。
なお、ヘアキャッチャー部７をポップアップ弁６とともに排水孔３ｃの上方へ引き抜く際には、リブ１６ｂがガイドとなり、ヘアキャッチャー部７に引っ掛かりが生ずることがなく、スムーズに上方へ抜き取ることができるものである。
なお、リブ１６ｂの数は２本であるとヘアキャッチャー部７の着脱時に安定しないため２以上必要であるが、７本以上あると各リブ１６ｂの上面にゴミが溜まりやすくなるため、リブ１６ｂの本数は３〜６が適当である。
【００２０】
このように排水孔３ｃに対する本体筒部１６の芯ずれを防いで、ボウル部３ａの裏側に排水器具９の止水鍔部１８を水密状に当接固定させて、ボウル部３ａの裏側に排水金具９を接続することができ、継ぎ目部分に汚れが溜まりにくいものとなる。しかも、排水器具９の本体筒部１６は排水孔３ｃよりも大径に形成されているため、この本体筒部１６内を良好に清掃することができるものであり、排水器具９の清掃がしやすいものとなる。
【００２１】
また、袋ナット１３，２０を介してレリース保持部材１０およびオーバーフローホース２１が排水器具９に接続されているため、袋ナット１３，２０を手で回して着脱することでメンテナンス性が向上するものとなる。
【図面の簡単な説明】
【００２２】
【図１】洗面台の斜視構成図である。
【図２】洗面ボウルの排水孔に取り付けられる部材の分解斜視構成図である。
【図３】図２の要部の拡大斜視構成図である。
【図４】洗面ボウルの排水孔の裏側に排水器具を取付け固定した状態の縦断面構成図である。
【符号の説明】
【００２３】
１  洗面台
２  キャビネット
３  洗面ボウル
３ａ  ボウル部
３ｂ  バックガード部
３ｃ  排水孔
５  操作ボタン部
６  ポップアップ弁
６ａ  軸部
７  ヘアキャッチャー部
８  オーバーフローキャッチャー
９  排水器具
１０  レリース保持部材
１１  レリース
１２  揺動部材
１３，１４，２０  袋ナット
１６  本体筒部
１６ａ  内周面
１６ｂ  リブ
１７  縮径部
１７ａ  接続部
１８  止水鍔部
１８ａ  Ｏリング溝
１８ｂ  ビス挿通孔
１８ｃ  凸部
１９  オーバーフローホース接続部
２１  オーバーフローホース
２２  凹部
２３  下穴
２４  ビス
【図１】
2010053673.tif 000003
【図２】
2010053673.tif 000004
【図３】
2010053673.tif 000005
【図４】
2010053673.tif 000006